【手続補正書】
【提出日】平成18年8月29日(2006.8.29)
【手続補正１】
【補正対象書類名】明細書
【補正対象項目名】特許請求の範囲
【補正方法】変更
【補正の内容】
【特許請求の範囲】
【請求項１】  生デジタル画像として入力ターミナルに供給されたデジタル画像のエッジ強調のため、及び処理された画像データを出力ターミナルに供給するための装置であって：
前記入力ターミナルに接続され、前記生データを受信し及びオフセット・データを生成するように構成されたオフセット処理回路と；
前記オフセット処理回路に接続され、前記オフセット・データを受信し及び補間されたデータを供給するように構成された補間回路と；
前記補間回路に接続され、及び色データを生成するために前記補間されたデータを処理するように構成された色処理回路と；
前記補間回路及び前記色処理回路に接続され、強調データを生成するために、前記補間されたデータ及び前記色データに基づいて、前記画像のエッジを強調するよう構成されたエッジ強調回路と；
前記色処理回路及び前記エッジ強調回路に接続され、ルックアップ・データを生成するために、前記色データ及び前記強調データを探索するよう構成されたルックアップ・テーブルと；
前記ルックアップ・テーブル回路に接続され、前記出力ターミナルへの前記処理された画像データを生成するために、前記ルックアップ・データを変換するよう構成された変換回路と；
を具備する前記装置。
【請求項２】  オブジェクトのエッジを検出するために、対象となる画像におけるオブジェクトの境界に配置されたピクセルの輝度における変化を識別するステップと、増大を要求する有効エッジ値の範囲を識別するステップと、エッジ増大値を供給するために、増大ファクタを前記有効エッジ値に掛けるステップと、エッジ強調されたピクセルを作るために、本来の輝度に、前記エッジ増大値を加えるステップと、を含む、デジタル・カメラ画像における画像のエッジ強調の方法。
【請求項３】  画像キャプチャ装置において欠損ピクセルを補償するための装置であって：
前記欠損ピクセルに関する適切な輝度値を決定するために、及び前記適切な輝度値を前記欠損ピクセルに割り当てるために、近くのピクセルの輝度値を比較するよう構成された補間回路を具備する、前記装置。
【請求項４】  前記補間回路は、代替的な線における隣接する赤／青カラー・フィルタ・コーティングによって、緑のピクセルにおけるＣＣＤ暗−明−暗−明パターンの少なくともいくつかをオフセットするよう構成されたオフセット回路を含むことを特徴とする、請求項３に記載の装置。
【請求項５】  前記補間回路は、後ろから前へのダウン・サンプリングを吸収し、及びエッジ強調に関して、各ピクセルに３×３ピクセル・ブロックを供給するように構成された、サンプリング回路を含むことを特徴とする、請求項４に記載の装置。
【請求項６】  オブジェクトのエッジを検出するために、対象となる画像におけるオブジェクトの境界に配置されたピクセルの輝度における変化を識別するための手段と、増大を要求する有効エッジ値の範囲を識別するための手段と、エッジ増大値を供給するために、増大ファクタを前記有効エッジ値に掛けるための手段と、エッジ強調ピクセルを作るために、本来の輝度に前記エッジ増大値を加えるための手段とを含む、デジタル・カメラ画像におけるエッジ強調のための画像プロセッサをさらに具備することを特徴とする、請求項５に記載の装置。
【手続補正２】
【補正対象書類名】明細書
【補正対象項目名】０００３
【補正方法】変更
【補正の内容】
【０００３】
（背景技術）
デジタル画像キャプチャ及び処理は、コンピュータ・ネットワーク上で画像の簡単な共有を供給するので、重要な技術である。高品質の画像を供給するために、画像におけるオブジェクトのエッジは、鮮鋭でなければならない。デジタルキャプチャ装置（例えば、カメラ）に根強く続く一つの問題は、画像をキャプチャするために使用される電荷結合素子（ＣＣＤ）にある。時に、ＣＣＤは適切に機能せず、又は誤ったデータを与えることがある。これは、欠損ピクセル(missing pixel)と考えられることもある。そのような場合において、従来のキャプチャ装置は、誤った画像データを、表示装置に供給し、歪んだ画像が再生される。従って、欠損ピクセルの問題を克服する技術が望まれる。
【手続補正３】
【補正対象書類名】明細書
【補正対象項目名】０００８
【補正方法】変更
【補正の内容】
【０００８】
本発明の他の実施形態において、画像キャプチャ装置は、プログレッシブＲＧＢタイプのＣＣＤにおける欠損ピクセル補間の実行のための回路を含む。この実行の目的は、（ａ）フル解像ＲＧＢ色画像を再構築し、（ｂ）代替的な線における隣接する赤／青カラー・フィルタ・コーティング（filter coating）による、緑ピクセルにおけるＣＣＤ暗−明−暗−明パターンのいくつかをオフセットし、（ｃ）後ろから前へのダウン・サンプリング（down sampling）を吸収し（そうでなければ、補間後の追加のライン・メモリ（line memory）は、垂直ダウン・サンプリングを実行するために必要とされる）、及び（ｄ）後のエッジ強調に関して、各ピクセルに３×３ピクセル・ブロックを供給することである。
【手続補正４】
【補正対象書類名】明細書
【補正対象項目名】００１３
【補正方法】変更
【補正の内容】
【００１３】
しかしながら、ある場合において、欠損ピクセルは、画像の誤った処理につながりうる、画像の表示における問題を生じうる。本発明は、プログレッシブＲＧＢタイプＣＣＤにおける欠損ピクセル補間の実行のためのものである。本実行の目的は、（ａ）フル解像度ＲＧＢ色画像を再構築し、（ｂ）代替的な線における隣接する赤／青カラー・フィルタ・コーティングによる、緑のピクセルにおけるＣＣＤ暗−明−暗−明パターンのいくつかをオフセットし、（ｃ）後ろから前へのダウン・サンプリングを吸収し（そうでなければ、補間後の追加のライン・メモリが、垂直のダウン・サンプリングを実行するために必要とされる）、及び（ｄ）後のエッジ強調に関して、各ピクセルに、３×３ピクセル・ブロックを供給することである。そのような実行は、６４０×４８０ピクセルまでのサイズを有するプログレッシブ・タイプのＣＣＤをサポートする。
【手続補正５】
【補正対象書類名】明細書
【補正対象項目名】００１４
【補正方法】変更
【補正の内容】
【００１４】
図２は、本発明の実施形態に従った、欠損ピクセル補間を実行するためのアーキテクチャを示す。ダイアグラムにおける各四角形は、一つのクロック・サイクル（clock cycle）に関する記憶単位である。矢印は、データの流れを示す。ライン・メモリ（ＬＭ）は、チップ領域を省くために、単一のポートＦＩＦＯにおいて実行される。読み取り及び書き込みオペレーションは、読み取り／書き込み衝突が生じないように、異なるクロック位相に予定される。さらに、ＬＭ４は、後述のとおり、たった一種類のピクセル（例えば、緑のピクセル）しか記録しないので、ＬＭ１乃至ＬＭ３のサイズのたった半分である。
【手続補正６】
【補正対象書類名】明細書
【補正対象項目名】００２２
【補正方法】変更
【補正の内容】
【００２２】
データが最初にＣＣＤセンサから画像プロセッサ５０に送り込まれる時、各入力ピクセルに関して、一つの色コンポーネントのみがある。Ｒ、Ｇ及びＢコンポーネントは、図５に記載のとおり、交互に配置される。入力生データは、最初に、黒のオフセット・クランプ回路（black offset clamping circuit）５２によって処理される。欠損色コンポーネントは、色補間回路５４において、欠損色を有する、最も近い隣接するピクセルの値から引き出される。色再構築の後、各ピクセルは、それ自身のＲ、Ｇ及びＢ値を処理する。ピクセルは、ホワイト・バランス（white balancing）、ＣＣＤスペクトル補償、及び他の処理のために、その個別の赤、青又は緑の値における増大調整のために、色処理回路５６に送られる。
【手続補正７】
【補正対象書類名】明細書
【補正対象項目名】図面の簡単な説明
【補正方法】変更
【補正の内容】
【図面の簡単な説明】
【図１】
図１は、本発明の実施形態に従った、画像キャプチャ装置及び画像プロセッサを示すブロック図である。
【図２】
図２は、本発明の実施形態に従った、欠損ピクセル補間を実行するためのアーキテクチャを示す。
【図３Ａ】
本発明の実施形態に従った、様々なダウン・サンプリング技術を示す図である。
【図３Ｂ】
本発明の実施形態に従った、様々なダウン・サンプリング技術を示す図である。
【図３Ｃ】
本発明の実施形態に従った、様々なダウン・サンプリング技術を示す図である。
【図３Ｄ】
本発明の実施形態に従った、様々なダウン・サンプリング技術を示す図である。
【図４】
図４は、本発明の実施形態に従った、エッジ強調のための画像プロセッサを示すブロック図である。
【図５】
図５は、生ＣＣＤデータ・パターンを示す。
【図６】
図６は、本発明の実施形態に従った、画像におけるエッジを強調するためのステップを示す。
【図７】
図７は、エッジ検出及び強調プロシージャを示す。
【図８】
図８は、エッジ検出のための、３×３ブロックを示す。
【図９】
図９は、四つの異なる方向での、エッジ境界を検出するために使用される３×３マトリックスのための加重ファクタを示す。
【図１０】
図１０は、本発明の特徴に従った、カットオフ・レベル及び増大制御を示す。
【図１１】
図１１は、６０の背景における輝度と、５０の前景における輝度を有する画像を示す。
【図１２】
図１２は、１１０の背景における輝度と、１００の前景における輝度を有する画像を示す。
【図１３】
図１３は、均衡のとれていないエッジ増大比の例を示す。
【手続補正８】
【補正対象書類名】図面
【補正対象項目名】図２
【補正方法】変更
【補正の内容】
【図２】
2002524929.tif 000001
【手続補正９】
【補正対象書類名】図面
【補正対象項目名】図４
【補正方法】変更
【補正の内容】
【図４】
2002524929.tif 000002